【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】  複数の遠隔地点におけるコンピュータ間をつなぐ複数のネットワーク経路を提供し、該複数地点におけるネットワーク・ソフトウェア・インターフェースを提供するネットワーク・サービスと、
前記複数地点におけるコンピュータ間の束処理ロジックであって、該束処理ロジックは、束の内容属性記述子内の所定の状況を検出し、当該内容属性記述子内の所定の状況の検出に呼応した動作を実行するようにという一組の指示に応答するものと、
前記地点の各々からアクセス可能で、前記束処理ロジックのための一組の指示の少なくとも一部分を規定するように動作可能である束処理ロジックのためのプログラム・インターフェースと
を具備することを特徴とする商取引管理のためのネットワーク化システム。
【請求項２】  ネットワーク上の地点からプログラム命令を受信する手段と、
前記ネットワークを通じて複数のデータ束を配信する手段と、
前記束向けの内容属性記述子中の所定の状況の検出に応答して動作を実行する手段と
を具備することを特徴とする商取引管理のためのネットワーク化システム。
【請求項３】  ネットワーク全体に分布し複数の束からのメタ・データを配信するように動作可能な複数の束配信サーバと、
前記束において参照されたデータ要素のコピーを各データ所有者のネットワーク・ノードからアクセッサのネットワーク・ノードまで検索する検索ロジックと
を具備することを特徴とする商取引管理のためのネットワーク化システム。
【請求項４】  情報を複数の束に組立てる手段であって、各束はデータ要素参照および該データ要素を記述するメタ・データからなり、各データ要素はネットワーク内のデータ所有者のノードに存続し続けるものである手段と、
前記束の中の前記メタ・データを前記ネットワークを介して配信する手段と、
アクセッサが前記データ要素を選択するのに続いて、前記束組立ての手段によって組立てられた束の中の該データ要素のコピーをそれぞれ該当するデータ所有者のネットワーク・ノードから該アクセッサのネットワーク・ノードへと配信する手段と
を具備することを特徴とするネットワーク化商取引管理システム。
【請求項５】  複数のユーザ間の束通過インターフェースと、
該束通過インターフェースのための内容変更サービス・インターフェースと、
前記内容変更サービス・インターフェースに対して与えられる指示に基づき前記インターフェースを通過する束に呼応する束修正ロジックと
を具備することを特徴とする商取引管理のためのネットワーク化システム。
【請求項６】  複数の内容属性記述子および少なくとも一つの内容記述子を含むデータ束を受信する手段と、
前記内容属性記述子中の所定の状況について調べる手段と、
前記所定の状況が検出されると前記束を修正する手段と
を具備することを特徴とする商取引管理のためのネットワーク化システム。
【請求項７】  複数のネットワーク化されたユーザ間にあって、束中の機械読みとり可能な情報に呼応する配信制御入力を含む配信ロジックを備える束通過インターフェースと、
前記束中の機械読みとり可能な情報に呼応する制御入力を含む統計収集エンジンと
を具備することを特徴とする商取引管理のためのネットワーク化システム。
【請求項８】  複数の内容属性記述子のための値を含む機械可読フォーマットに従って、第1の複数のさまざまなネットワーク・ユーザ中のさまざまなものから、第２の複数のさまざまなネットワーク・ユーザ中のさまざまなものに対して情報束を配信するための手段と、
前記内容属性記述子のための値に基づいて配信するステップのトラヒック統計を導出する手段と
を具備することを特徴とする商取引管理のためのネットワーク化システム。
【請求項９】  複数のネットワーク化されたユーザに対して勧誘状を発信するべく動作可能な勧誘状通過インターフェースと、
ユーザ間の関係の現状情報を格納するための関係状況記憶装置であって、該記憶装置にアクセスする関係状況イベントに応答可能な関係状況記憶装置と、
複数のネットワーク化されたユーザに対して束を発信可能に動作し、前記関係状況記憶装置に応答する入力を有する束通過インターフェースと
を具備することを特徴とする商取引管理のためのネットワーク化システム。
【請求項１０】  第１の複数のさまざまなネットワーク・ユーザ中のさまざまなものと第２の複数のさまざまなネットワーク・ユーザ中のさまざまなものとの間のさまざまなレベルの信頼関係について交渉する手段と、
前記さまざまなレベルの信頼関係に従って、前記第1の複数のさまざまなネットワーク・ユーザ中のさまざまなものから前記第２の複数のさまざまなネットワーク・ユーザ中のさまざまなものにまで情報束を配信する手段と
を具備することを特徴とする商取引管理のためのネットワーク化システム。
【請求項１１】  複数のさまざまなネットワーク化されたユーザ間で機械可読識別情報を交換する手段と、
交信手段により交信された前記機械可読識別情報に基づき、受信すべき情報束を同じ機械可読フォーマットのユーザ中のさまざまなものから選択する手段であって、該機械可読フォーマットは複数の情報領域用の値を含む手段と
を具備することを特徴とする商取引管理のためのネットワーク化システム。
【請求項１２】  ネットワークの複数のノード間で情報束を配信する手段と、
データ束及びセキュリティ情報を格納する手段であって、該セキュリティ情報は、前記ネットワークの複数のノード中のデータに格納されるデータ束の各々との関連で権原を有する有権原アクセッサを特定するものである手段と、
前記セキュリティ情報にアクセスし、該セキュリティ情報に基づいて有権原アクセッサに対してのみ他のノードからデータ束へアクセスすることを許可する手段と
を具備することを特徴とする商取引管理のためのネットワーク化システム。
【請求項１３】  複数の情報領域のための一組の値を含む個人プロフィールを定義する手段と、
同じ機械可読フォーマットをもつ異なるネットワーク・ユーザからの情報束を受信する手段であって、該機械可読フォーマットは前記複数の情報領域のための複数の値を含むものである手段と、
前記異なるユーザからの情報束の少なくとも複数の部分を前記情報の複数の領域の値及び前記複数の束の複数の領域の値に基づいて提示する手段と
を具備することを特徴とする商取引管理のためのネットワーク化システム。
【請求項１４】  複数の情報束用の複数の情報領域のための値を含むプロフィールを規定する手段と、
前記複数の情報領域の値に関係する情報束を受信する手段と、
前記受信手段によって受信された束に含まれる情報に基づいて前記プロフィールを修正する手段と
を具備することを特徴とする商取引管理のためのネットワーク化システム。
【請求項１５】  前記束処理ロジックが、複数の要求された内容領域および複数のユーザ定義領域のうちの少なくとも一方における状況を検出するためのロジックを含むことを特徴とする請求項１、２、３、４、５、６、７、８、９、１０、１１、１２、１３もしくは１４記載のシステムに係る装置。
【請求項１６】  独立型ソフトウェア・アプリケーションへのインターフェースと、前記束処理ロジックのプログラム・インターフェースへのインターフェースとを有するアプリケーション要素を更に備えることを特徴とする請求項１、２、３、４、５、６、７、８、９、１０、１１、１２、１３もしくは１４記載のシステムに係る装置。
【請求項１７】  前記束において参照される複数のデータ要素へのピア・ツー・ピア・アクセスを可能にするピア・ツー・ピア転送ロジックを更に備えることを特徴とする請求項１、２、３、４、５、６、７、８、９、１０、１１、１２、１３もしくは１４記載のシステムに係る装置。
【請求項１８】  前記束処理ロジックに応答しうる警報ロジックを更に備えることを特徴とする請求項１、２、３、４、５、６、７、８、９、１０、１１、１２、１３もしくは１４記載のシステムに係る装置。
【請求項１９】  前記束処理ロジックに応答しうる内容混合ロジックを更に備えることを特徴とする請求項１、２、３、４、５、６、７、８、９、１０、１１、１２、１３もしくは１４記載のシステムに係る装置。
【請求項２０】  前記複数地点でのコンピュータ間における、前記束の配信を制限する該束中のセキュリティ情報に応答するセキュリティ・ロジックを更に備えることを特徴とする請求項１、２、３、４、５、６、７、８、９、１０、１１、１２、１３もしくは１４記載のシステムに係る装置。
【請求項２１】  前記束処理ロジックは、追加情報を含む複数の超束の少なくともいくつかの束で入れ子構造に動作可能であることを特徴とする請求項１、２、３、４、５、６、７、８、９、１０、１１、１２、１３もしくは１４記載のシステムに係る装置。
【請求項２２】  前記束の各々が前記データへのアクセス権原を有する者を特定するセキュリティ情報を含み、束およびその超束の双方へのアクセス権原を有するアクセッサのみが該束および該超束を見ることができることを特徴とする請求項１、２、３、４、５、６、７、８、９、１０、１１、１２、１３もしくは１４記載のシステムに係る装置。
【請求項２３】  勧誘状を受け取るための勧誘状受信ロジック及び所有者とアクセッサとの間の関係を構築する関係構築ロジックを更に備えることを特徴とする請求項１、２、３、４、５、６、７、８、９、１０、１１、１２、１３もしくは１４記載のシステムに係る装置。
【請求項２４】  ネットワーク化されたユーザのリストに応答するディレクトリ・ロジックを更に備えることを特徴とする請求項１、２、３、４、５、６、７、８、９、１０、１１、１２、１３もしくは１４記載のシステムに係る装置。
【請求項２５】  前記セキュリティ情報のフォーマットは、組織識別子が該セキュリティ情報に含まれることを許容することを特徴とする請求項１、２、３、４、５、６、７、８、９、１０、１１、１２、１３もしくは１４記載のシステムに係る装置。
【請求項２６】  前記束のうち少なくともいくつかの束を追加的情報を含む超束に入れ子にするための入れ子ロジックを更に備え、各束が前記データへのアクセス権原を有する者を特定するセキュリティ情報を含み、束および超束の双方へのアクセス権原を有するアクセッサのみが該束および該超束を見ることができることを特徴とする請求項１、２、３、４、５、６、７、８、９、１０、１１、１２、１３もしくは１４記載のシステムに係る装置。
【請求項２７】  前記束および超束が異なるノードで異なる所有者を有し、前記ネットワーク・サービスが該異なるノードから該束および超束を配信することを特徴とする請求項１、２、３、４、５、６、７、８、９、１０、１１、１２、１３もしくは１４記載のシステムに係る装置。
【請求項２８】  前記ネットワークの異なるノードに対して、バージョン特定信号を発するように動作可能なバージョン特定信号ジェネレータを更に備えることを特徴とする請求項１、２、３、４、５、６、７、８、９、１０、１１、１２、１３もしくは１４記載のシステムに係る装置。
【請求項２９】  ネットワーク上の複数地点からプログラミング命令を受信し、
前記ネットワークを通じて複数のデータ束を配信し、
前記束向けの内容属性記述子中の所定の状況の検出に応答して動作を実行する
ことを特徴とするネットワーク化商取引管理方法。
【請求項３０】  情報を複数の束に組立てるステップであって、各束はデータ要素レファレンス（参照）と該データ要素を記述するメタ・データとからなり、各データ要素はネットワークのデータ所有者のノード上に所在し続けるものであるステップと、
前記ネットワークを通じて前記複数の束中の前記メタ・データを配信するステップと、
アクセッサが前記データ要素を選択するのに続いて、前記組立てのステップにおいて組立てられた前記束の中の該データ要素のコピーをそれぞれの該当するデータ所有者のネットワークノードから該アクセッサのネットワークノードへと配信するステップと
を具備することを特徴とするネットワーク化商取引管理方法。
【請求項３１】  複数の内容属性記述子および少なくとも一つの内容記述子を含むデータ束を受信するステップと、
前記内容属性記述子中の所定の状況について調べるステップと、
前記所定の状況が検出されると前記束を修正するステップと
を具備することを特徴とするネットワーク化商取引管理方法。
【請求項３２】  複数の内容属性記述子のための値を含む機械読み取り可能なフォーマットに従って、第１の複数のさまざまなネットワーク・ユーザ中のさまざまなものから第２の複数のさまざまなネットワーク・ユーザ中のさまざまなものに対して情報束を配信するステップと、
前記内容属性記述子のための値に基づいて配信するステップのトラヒック統計を導出するステップと
を具備することを特徴とするネットワーク化商取引管理方法。
【請求項３３】  第１の複数のさまざまなネットワーク・ユーザ中のさまざまなものと、第２の複数のさまざまなネットワーク・ユーザ中のさまざまなものとの間のさまざまなレベルの信頼関係について交渉するステップと、
前記さまざまなレベルの信頼関係に従って、前記第1の複数のさまざまなネットワーク・ユーザ中のさまざまなものから前記第２の複数のさまざまなネットワーク・ユーザ中のさまざまなものに対して情報束を配信するステップと
を具備することを特徴とするネットワーク化商取引管理方法。
【請求項３４】  複数の互いに異なるネットワーク化されたユーザ間で機械可読識別情報を交換するステップと、
前記交信ステップで交信された機械可読識別情報に基づき、受信すべき情報束を同じ機械可読フォーマットに係るユーザのさまざまなものから選択するステップであって、該機械可読フォーマットは複数の情報領域用の値を含むものであるステップと
を具備することを特徴とするネットワーク化商取引管理方法。
【請求項３５】  ネットワークの複数のノード間で情報束を配信するステップと、
データ束およびセキュリティ情報を格納するステップであって、該セキュリティ情報は、前記ネットワークの複数のノードにおけるデータ中に格納されるデータ束の各々と関連したアクセス権原を有する有権原アクセッサを特定するものであるステップと、
前記セキュリティ情報にアクセスし、該セキュリティ情報に基づいて有権原アクセッサに対してのみ他のノードからデータ束へアクセスすることを許可するステップと
を具備することを特徴とするネットワーク化商取引管理方法。
【請求項３６】  複数の情報領域のための一組の値を含む個人プロフィールを定義するステップと、
同じ機械可読フォーマットをもつさまざまなネットワーク・ユーザから情報束を受け取るステップであって、該機械可読フォーマットは前記複数の情報領域のための値を含むものであるステップと、
前記情報用の複数の領域の値及び前記複数の束用の複数の領域の値に基づき、前記さまざまなユーザからの複数の情報束の少なくとも複数の部分を提示するステップと
を具備することを特徴とするネットワーク化商取引管理方法。
【請求項３７】  情報束用の複数の情報領域のための値を含むプロフィールを規定するステップと、
前記情報領域の値に関する情報束を受信するステップと、
前記受信のステップで受信した束に含まれる情報に基づき前記プロフィールを自動的に修正するステップと
を具備することを特徴とするネットワーク化商取引管理方法。
【請求項３８】  少なくとも１つの束が、次の要件のうちの少なくとも１つに該当することを特徴とする請求項２９、３０、３１、３２、３３、３４、３５、３６もしくは３７記載の方法であって、当該次の要件とは以下をいう：
前記データへのアクセス権原を有する者を示すセキュリティ情報を含み、前記配信のステップは該アクセス権原を有する者に対してのみ前記束を配信すること；
前記データへのアクセス権原を有する者を示すセキュリティ情報を含み、束およびその超束の双方へのアクセス権原を有する者のみが該束および超束を見ることができること；
タイプの異なる一つ以上のファイルへの添付参照を含むこと；
他の束への参照を含むこと；
テキスト情報束、画像情報束および音声情報束を含むこと；
データ要素への参照及び該データ要素を記述するメタ・データを含み、各々のデータ要素がネットワーク中のデータ所有者のノードに存在しているままであること。
【請求項３９】  前記トラヒックを、
支払い請求額；
異なる目的地を持つトラヒックに対しての異なる支払い請求額；
異なるユーザ間のプログラム化束処理ロジックによって要請されるイベントに対する支払い請求額；
人間的やりとりから独立した動作に対する支払い請求額；
のうちの少なくとも１つに換算するステップを更に備えることを特徴とする請求項２９、３０、３１、３２、３３、３４、３５、３６もしくは３７記載の方法。
【請求項４０】  前記導出のステップが、次の要件のうちの少なくとも１つに該当することを特徴とする請求項２９、３０、３１、３２、３３、３４、３５、３６もしくは３７記載の方法であって、当該次の要件とは以下をいう：
申し出束の提示についての統計およびこれらの申し出束の受け入れ率を導出すること；
転送される束のタイプについての統計および該転送に関与しているユーザ用の情報プロフィールを導出すること；
ほぼリアルタイムで実質的に連続動作すること；
互いに通信する権原を与えられた複数組のユーザ間での転送についての統計を導出するが、該組同士の通信は許可されていないこと。
【請求項４１】  前記機械可読フォーマットは、
前記複数の情報領域としての、取引対象セキュリティ識別子領域、注釈領域および発信者識別領域；
前記複数の情報領域としての、組織的提携先識別領域、注釈領域および発信者識別領域；
前記複数の情報領域としての、取引対象セキュリティ識別子領域、内容領域、注釈領域および発信者識別領域
のうちの少なくとも１つを含むことを特徴とする請求項２９、３０、３１、３２、３３、３４、３５、３６もしくは３７記載の方法。
【請求項４２】  前記応答するステップが、次の要件のうちの少なくとも１つを備えることを特徴とする請求項２９、３０、３１、３２、３３、３４、３５、３６もしくは３７記載の方法であって、当該次の要件とは以下をいう：
前記第1の束に関連したユーザ制御動作に応答して起こること；
前記第1の束の表示エリアの近くでのユーザ制御動作に応答して起こること；
ほぼリアルタイムの双方向通信を含むこと；
ほぼリアルタイムのテキストによる双方向通信を含むこと。
【請求項４３】  次のステップのうちの少なくとも１つを更に備えることを特徴とする請求項２９、３０、３１、３２、３３、３４、３５、３６もしくは３７記載の方法であって、当該次のステップとは以下をいう：
前記プロフィールを前記ネットワークの他のユーザが利用できるようにするステップ；
前記プロフィールの配信の範囲を特定する限定配信記録を規定するステップに応答して該プロフィールを利用可能にするステップ；
配信されるべき前記プロフィールの量を特定する部分的配信記録を規定するステップに応答して該プロフィールを利用可能にするステップ；
束データの通知、関連、ダウンロードおよびルーティングに係るアクセッサの基準を含む一組の意思決定規則を含む前記プロフィールを利用可能にするステップ。
【請求項４４】  前記コピーを配信するステップが、次のもののうちの少なくとも１つを含むことを特徴とする請求項２９、３０、３１、３２、３３、３４、３５、３６もしくは３７記載の方法であって、当該次のものとは以下をいう：
ピア・ツー・ピア転送；
更新版を配信し、前記識別信号に呼応して前記複数のノードのうちの少なくとも1つから前記更新版のコピーを更に要請すること；
第1の束の発信者とのさまざまなレベルの信頼関係に基づいて、該第1の束のさまざまなバージョンをさまざまなユーザに対して配信すること；
前記束の受領者に係るさまざまなレベルの警告を含み、該さまざまなレベルの警告の選択は該受領者が前記第1の束の発信者との間で有するさまざまなレベルの信頼関係に基づくものであること。
【請求項４５】  前記提示のステップは、
前記複数の情報束の複数の部分を単一のリスト画面で提示すること；
前記複数の情報束の複数の部分をカスタマイズ可能な画面で提示すること；
前記複数の情報束の複数の部分を概略画面で提示すること；
前記複数の情報領域の同一セットの値及び前記複数の束の複数領域のための複数の値に基づき、前記複数の情報束の少なくとも複数の部分を異なる複数のユーザに対して提示すること；
前記異なるユーザ間の束処理ロジックによって実行される評価のステップに呼応して行われること；
のうちの少なくとも１つを含むことを特徴とする請求項２９、３０、３１、３２、３３、３４、３５、３６もしくは３７記載の方法。
【請求項４６】  次のステップのうちの少なくとも１つを更に備えることを特徴とする請求項２９、３０、３１、３２、３３、３４、３５、３６もしくは３７記載の方法であって、当該次のステップとは以下をいう：
潜在的アクセッサに対し前記機械可読識別情報に少なくとも部分的に基づくデータの入手可能性を通知するステップ；
前記受信のステップで受信した複数の束の第１の部分の発信者との間で、当該複数の束の第１の部分の内容に関してコミュニケーションを確立するステップ；
前記情報領域の値に少なくとも部分的に基づく警報を規定するステップ；
ソフトウェア・アプリケーションからのメッセージに基づき、ユーザからの入力とは独立に、前記複数の領域中の少なくとも１つの値を自動的に調整するステップ。
【請求項４７】  次のステップのうちの少なくとも１つを更に備えることを特徴とする請求項２９、３０、３１、３２、３３、３４、３５、３６もしくは３７記載の方法であって、当該次のステップとは以下をいう：
前記統計を買い手側ユーザに転送するステップ；
前記セキュリティ情報を定めるべく所有者とアクセッサとの間の信頼関係について交渉するステップ；
前記配信のステップの前に、権原を有するネットワーク・ユーザ・ディレクトリから複数束を受信すべきネットワーク化ユーザを選択するステップ；
所有者の入力に応答して前記メタ・データ要素のうちの1つを定義するステップ。
【請求項４８】  次のステップのうちの少なくとも１つを更に備えることを特徴とする請求項２９、３０、３１、３２、３３、３４、３５、３６もしくは３７記載の方法であって、当該次のステップとは以下をいう：
前記複数の束のうちの少なくともいくつかの束を追加的情報を含む超束に入れ子にするステップ；
前記束および超束の双方へのアクセス権原を欠く受取人に対し代替的内容を提示するステップ；
前記ネットワークの複数の異なるノードに対して、束バージョン識別信号を定期的に発信するステップ；
前記メタ・データの部分に基づいて前記束にフィルタをかけるステップ；
前記メタ・データ中の状況の検出に呼応してユーザに警告するステップ。
【請求項４９】  次のステップのうちの少なくとも１つを更に備えることを特徴とする請求項２９、３０、３１、３２、３３、３４、３５、３６もしくは３７記載の方法であって、当該次のステップとは以下をいう：
前記メタ・データ中の状況の検出に基づいて、内容を混合するステップ；
前記束からの情報をサービスプロバイダに転送するステップであって、前記修正のステップは該サービスプロバイダによって実行される動作に呼応して実行されるものであるステップ；
特定の束の受取人からその発信者に対して該受信した特定の束についてのフィードバック情報を提供するステップであって、該フィードバック情報の量は前記発信者および受取人の間の信頼関係のレベルに依存するものであるステップ；
プロフィール発行元ユーザが提供可能な取引の種類を表す機械読取可能な取引型式情報を含むプロフィールを前記ネットワークを通じてアクセスできるように発行するステップ。
【請求項５０】  前記機械可読識別情報交信のステップが前記複数の情報領域のための値を備えるプロフィールを発行するステップを含むことを特徴とする請求項２９、３０、３１、３２、３３、３４、３５、３６もしくは３７記載の方法。
【請求項５１】  前記プロフィールの交信のステップは、該プロフィールのいくつかの配信か全部の配信かの配信の程度を特定する限定配信記録を規定するステップに呼応して行われることを特徴とする請求項２９、３０、３１、３２、３３、３４、３５、３６もしくは３７記載の方法。
【請求項５２】  前記セキュリティ情報のフォーマットが、組織識別子が該セキュリティ情報中に含まれるのを許容することを特徴とする請求項２９、３０、３１、３２、３３、３４、３５、３６もしくは３７記載の方法。
【請求項５３】  前記束および超束が異なるノードで異なる所有者を有し、前記配信のステップは該異なるノードから前記束および超束を配信することを特徴とする請求項２９、３０、３１、３２、３３、３４、３５、３６もしくは３７記載の方法。
【請求項５４】  前記他の束への参照が返信に係る参照を含むことを特徴とする請求項２９、３０、３１、３２、３３、３４、３５、３６もしくは３７記載の方法。
【請求項５５】  前記束を選択するステップは、束が選択可能かどうかを決定するためのセキュリティ情報を評価するステップを含むことを特徴とする請求項２９、３０、３１、３２、３３、３４、３５、３６もしくは３７記載の方法。
【請求項５６】  複数の互いに異なるユーザとの間で機械可読識別情報を交信するステップと、前記交信のステップで交信された機械可読識別情報に基づいて受信すべき情報束を選択するステップとを更に具備することを特徴とする請求項２９、３０、３１、３２、３３、３４、３５、３６もしくは３７記載の方法。
【請求項５７】  複数の情報領域用の値の追加的な一組を含む追加的個人プロフィールを規定し、更に前記互いに異なる複数のユーザからの複数の情報束の少なくとも複数の部分を該複数の情報領域用の追加の複数の値及び前記束の複数の領域用の複数の値に基づいて提示するステップを更に備えることを特徴とする請求項２９、３０、３１、３２、３３、３４、３５、３６もしくは３７記載の方法。
【請求項５８】  データ処理システムにおけるネットワークの第1のノード上で実行されるコンピュータ・アプリケーション・プログラムがアクセスするためのデータを格納するデータ・メモリであって、該データ・メモリは、
ネットワーク・ルーティング領域と、
複数のメタ・データ領域記述子と、
複数のメタ・データ領域値と、
該ネットワーク上の内容要素の位置を識別する情報を含む内容要素への参照情報と
を含むデータ束を備えることを特徴とするデータ・メモリ。
【請求項５９】  前記メタ・データ領域は、
固定数及び可変数の領域；
所有権者領域；
前記束のためのバージョン領域；
のうちの少なくとも１つを含むことを特徴とする請求項５８記載のデータ・メモリ。
【請求項６０】  複数のコンピュータおよび少なくとも一つの集約サーバを相互接続する複数のネットワーク経路を備えてなるデータ通信ネットワーク上を伝送されるデータ束信号であって、
目的アドレスと少なくとも1つの項目記述子及び項目値を含むメタ・データとを特定するルーティング・データを含む束ヘッダと、
前記複数のコンピュータの少なくとも１つ及び前記少なくとも１つの集約サーバがアクセスし変形することが可能な1以上の束内容と
を具備することを特徴とするデータ束信号。
【請求項６１】  前記1以上の束内容は、ボイスメール、テキスト、リッチ・フォーマット化電子文書、テキスト・ベースのHTMLファイル、グラフィックス、オーディオ・ファイル、および／または動画ファイルのうちの少なくとも1つを含むことを特徴とする請求項６０記載のデータ束信号。
【請求項６２】  前記少なくとも1つの項目記述子は少なくとも１つの所定の状況を記述し、該所定の状況が確認されると前記複数のコンピュータの少なくとも1つまたは前記少なくとも1つの集約サーバが予め定められた動作を少なくとも一つ実行することを特徴とする請求項６０記載のデータ束信号。
【請求項６３】  ネットワークを介して接続される遠隔地点に所在する複数のコンピュータと自機である集約サーバとの間の相互やりとりを管理すべく用いられる集約サーバにおいて、
前記複数の遠隔地所在コンピュータを認証する認証およびアクセス制御モジュールと、
前記複数の遠隔地所在コンピュータの少なくとも１つの上で実行される外部アプリケーションとインターフェースで接続され、前記集約サーバからデータ及び複数のサービスのうち少なくとも1つを要求する少なくとも1つの協同プロトコル・アダプタと、
前記データを検索し、追加的なデータを前記外部アプリケーションによって要求される前記データと混ぜ合わせる内容配信および検索サービス・モジュールと、
前記外部アプリケーションによって要求された前記データを管理するビジネス・ロジック及び持続的アプリケーション・サービスを備える協同サービス・モジュールであって、該データは協同オブジェクトおよび文書の少なくとも1つを備えるものである協同サービス・モジュールと、
前記配信されたデータを前記外部アプリケーションに同期させるデータ配信サービス・モジュールと
を具備することを特徴とする集約サーバ。
【請求項６４】  前記データにボイスメール・メッセージを添付する電話通信サービス・モジュールを更に備えてなることを特徴とする請求項６３記載の集約サーバ。
【請求項６５】  前記内容配信および検索サービス・モジュールは、
前記外部アプリケーションによって要求される前記データを配信するデータ配信サービス・エンジンと、
前記外部アプリケーションによって要求された前記データを予め定められた順番で処理する同期サービス・モジュールと
を備えることを特徴とする請求項６３記載の集約サーバ。
【請求項６６】  複数のネットワーク経路を介して相互に接続される少なくとも1つの集約サーバ及び複数のコンピュータ間での商取引を管理するための拡張可能統合アーキテクチャであって、
取引を促進する接続ポイントであって、該接続ポイントは、一つ以上のオブジェクトのインスタンスを生成するために有用なアプリケーション・プログラミング・インターフェースと、警報メッセージと、前記少なくとも1つの集約サーバまたは前記複数のコンピュータのうちの1台上で実行されるべき処理を引き起こすトリガとの少なくとも1つを備えるものである接続ポイントと、
前記少なくとも１つの集約サーバ或いはデータを変形もしくは操作する内容混合プロセスを有する前記複数のコンピュータの1台により実行されるプロセスを制御するイベント・テーブルと
を具備することを特徴とする拡張可能統合アーキテクチャ。